【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  操作者の固有情報を検出する第１の検出手段と、
前記操作者の脈波を検出する第２の検出手段と、
前記第２の検出手段にて検出された脈波を処理して、少なくとも一つの指標を抽出する指標抽出手段と、
前記固有情報と比較される第１の比較情報を記憶する第１の記憶手段と、
前記少なくとも一つの指標と比較される第２の比較情報を記憶する第２の記憶手段と、
前記固有情報と前記第１の比較情報との比較結果に基づいて、前記操作者が登録された本人と一致され、かつ、前記少なくとも一つの指標と前記第２の比較情報との比較結果に基づいて、前記操作者が生存していると判断された時に、前記操作者が真正であることを示す信号を出力する照合手段と、
を有する本人照合装置。
【請求項２】  請求項１において、
前記指標抽出手段は、前記第２の検出手段にて検出された脈波が有する複数の変極点の少なくとも一つの波高を、前記少なくとも一つの指標として抽出する波高抽出部を含む本人照合装置。
【請求項３】  請求項１または２において、
前記指標抽出手段は、前記第２の検出手段にて検出された脈波が有する複数の変極点の少なくとも一つに至るまでの時間を、前記少なくとも一つの指標として抽出する時間抽出部を含む本人照合装置。
【請求項４】  請求項１乃至３のいずれかにおいて、
前記指標抽出手段は、前記第２の検出手段にて検出された脈波が有する複数の変極点の波高比率を、前記少なくとも一つの指標として抽出する波高比率抽出部を含む本人照合装置。
【請求項５】  請求項１乃至４のいずれかにおいて、
前記指標抽出手段は、前記第２の検出手段にて検出された脈波の加速度波形を演算する演算部と、前記加速度波形が有する複数の変極点の波高比率を、前記少なくとも一つの指標として抽出する波高比率抽出部を含む本人照合装置。
【請求項６】  請求項１乃至５のいずれかにおいて、
前記指標抽出手段は、前記第２の検出手段にて検出された脈波が有する複数の変極点間の時間比率を、前記少なくとも一つの指標として抽出する時間比率抽出部を含む本人照合装置。
【請求項７】  請求項６において、
前記時間比率抽出部は、前記第２の検出手段にて検出された脈波より、該脈波の周期と駆出時間との比率を抽出するものである本人照合装置。
【請求項８】  請求項１において、
前記指標抽出手段は、前記第２の検出手段にて検出された脈波を増幅する増幅器であり、前記増幅器は、オート・ゲイン・コントロール機能により前記脈波を一定振幅以上の信号に増幅した時の増幅倍率を指標として抽出する本人照合装置。
【請求項９】  請求項１乃至８のいずれかにおいて、
前記指標抽出手段にて抽出された前記少なくとも一つの指標の履歴情報を記憶する履歴情報記憶部と、
前記履歴情報に基づいて、前記第２の記憶手段に記憶されている前記第２の比較情報を更新する情報更新部と、
をさらに含む本人照合装置。
【請求項１０】  請求項１乃至９のいずれかにおいて、
前記固有情報は指紋であり、前記第１の検出手段は指紋検出センサであり、前記第１の記憶手段には本人の指紋情報が記憶されている本人照合装置。
【請求項１１】  請求項１０において、
前記指紋検出センサは、前記操作者の指の凹凸に応じて変化する静電容量を検出することで、指紋を検出する本人照合装置。
【請求項１２】  請求項１１において、
前記指紋検出センサは、Ｍ（Ｍは２以上の整数）行の電源線と、Ｎ（Ｎは２以上の整数）列の出力線と、前記Ｍ行Ｎ列の電源線及び出力線の各交点にそれぞれ設けられたＭ×Ｎ個の静電容量検出素子とを含む本人照合装置。
【請求項１３】  請求項１２において、
前記Ｍ×Ｎ個の静電容量検出素子の各々は、信号検出素子と信号増幅素子とを含み、
前記信号検出素子は、容量検出電極と容量検出誘電体膜とを含み、
前記信号増幅素子は、ゲート電極、ゲート絶縁膜及び半導体膜を有する信号増幅用ＭＩＳ型薄膜半導体装置にて形成されている本人照合装置。
【請求項１４】  請求項１３において、
前記Ｍ行の電源線に接続される電源選択回路をさらに有し、
前記電源選択回路は、共通電源線と前記Ｍ行の電源線との間に設けられたＭ個の電源用パスゲートとを含み、前記Ｍ個の電源用パスゲートの各々は、ゲート電極、ゲート絶縁膜及び半導体膜を有する信号増幅用ＭＩＳ型薄膜半導体装置にて形成されている本人照合装置。
【請求項１５】  請求項１３または１４において、
前記Ｎ行の信号線に接続される信号選択回路をさらに有し、
前記電源選択回路は、共通出力線と前記Ｎ列の出力線との間に設けられたＮ個の出力信号用パスゲートとを含み、前記Ｎ個の出力信号用パスゲートの各々は、ゲート電極、ゲート絶縁膜及び半導体膜を有する信号増幅用ＭＩＳ型薄膜半導体装置にて形成されている本人照合装置。
【請求項１６】  請求項１２乃至１５のいずれかにおいて、
前記指紋検出センサへの指の接触を検知して、本人照合装置を起動させる起動スイッチをさらに有する本人照合装置。
【請求項１７】  請求項１乃至１６のいずれかにおいて、
前記第２の検出手段は、発光素子と受光素子とを有する脈波検出センサを含み、前記操作者の脈波を光学的に検出する本人照合装置。
【請求項１８】  請求項１０乃至１６のいずれかにおいて、
前記第２の検出手段は、発光素子と受光素子とを有する脈波検出センサを含み、
前記指紋検出センサが表面側に位置するようにして、前記指紋検出センサと前記脈波検出センサとが積層され、かつ、前記指紋検出センサが前記発光素子からの発光経路及び前記受光素子への受光経路と交差する領域は、前記発光素子からの発光波長に対して透明な部材により形成されている本人照合装置。
【請求項１９】  請求項１８において、
前記指紋検出センサにて検出された指紋が真正でないと前記照合手段により判断された時は、前記脈波検出センサでの脈波の検出が禁止される本人照合装置。
【請求項２０】  請求項１７乃至１９のいずれかにおいて、
前記脈波検出センサにて検出された脈波から低域周波数成分を遮断する低域遮断フィルタをさらに有する本人照合装置。
【請求項２１】  請求項２０において、
前記低域遮断フィルタは、低域遮断周波数が０．４〜０．５Ｈｚの範囲中の値に設定されている本人照合装置。
【請求項２２】  経時的に変化する操作者の生体情報を検出する検出手段と、
前記生体情報と比較される比較情報を記憶する第１の記憶手段と、
前記検出手段で検出された前記生体情報の履歴情報を記憶する第２の記憶手段と、
前記第２の記憶手段に記憶された履歴情報に基づいて、前記第１の記憶手段内の比較情報を更新する更新手段と、
前記生体情報と前記比較情報との比較結果に基づいて、前記操作者が真正であることを示す信号を出力する照合手段と、
を有する本人照合装置。
【請求項２３】  請求項１乃至２２のいずれかに記載の本人照合装置を有するカード型情報記録媒体。
【請求項２４】  請求項１８または１９に記載の本人照合装置を有するカード型情報記録媒体であって、
少なくとも前記脈波検出センサが形成された第１の薄膜ディバイスと、少なくとも前記指紋検出センサが形成された第２の薄膜ディバイスとが積層されているカード型情報記録媒体。
【請求項２５】  請求項２３または２４において、
前記照合手段からの前記信号に基づいて、カード使用可能状態であることを表示する表示部をさらに有するカード型情報記録媒体。
【請求項２６】  請求項２３乃至２５のいずれかに記載のカード型情報記録媒体と、
前記カード型情報記録媒体の情報に基づいて処理する情報処理装置と、
を有し、
前記情報処理装置は、前記照合手段から前記信号が入力された後に、前記カード型情報記録媒体から、本人照合に用いた情報以外の情報を読み取る情報処理システム。
【請求項２７】  請求項２６において、
前記情報処理装置は、前記カード型情報記録媒体に給電する給電部を有する情報処理システム。